(57)【要約】【課題】柱脚上端に把柄を直接に取着する構成を採用し、長期間の使用でも把柄の緩みやがたつきが生じることがなく、把柄の取着構造を簡素化して柱脚に対する把柄の取着作業が簡単にできる左官鏝を提供する。【解決手段】  鏝板１の上面中央に一体形成した背板３内に、柱脚下端に設けた支持座５を埋設して背板上に柱脚４を立設し、把柄７に穿設した段９付き取着孔８に柱脚上端部を挿通して段部に係止させ、この状態で柱脚と組み合わせた頭部１２付き棒状固定部材１１を取着孔内に挿入し、結合部１０を介して両部材４，１１を結合して把柄７を固定した。【選択図】  図１
2005213758.tif 000002
【特許請求の範囲】
【請求項１】
鏝板成型時に鏝板の上面中央に背板を一体に形成するとともに、背板内に柱脚下端に設けた支持座を埋設して背板上に柱脚を立設し、柱脚上端部を把柄に穿設した段付き取着孔に挿通して段部に係止させ、この状態で柱脚と組み合わせた頭部付き棒状固定部材を把柄上側から取着孔内に挿入し、結合部を介して両部材を結合して把柄を固定したことを特徴とする左官鏝。
【請求項２】
柱脚を丸棒状の金属製にしたことを特徴とする請求項１記載の左官鏝。
【請求項３】
背板上に突出する柱脚基部を、背板からの盛り上がり部で取り巻いて柱脚埋設部を強化したことを特徴とする請求項１又２は記載の左官鏝。
【請求項４】
把柄を木製にしたことを特徴とする請求項１記載の左官鏝。
【発明の詳細な説明】
【技術分野】
【０００１】
本発明は、左官鏝に関するものであり、さらに詳しくは、鏝板の上面中央に背板を一体成型したプラスチック製の左官鏝に関するものである。
【背景技術】
【０００２】
モルタル床面を仕上げる左官鏝として、鏝板がプラスチックで成型されたプラスチック製の左官鏝が実用されている。
【０００３】
この種のモルタル床面を仕上げるプラスチック製の左官鏝は、比較的大型のものが多く、鏝板下面には、全面的に、垂直面と傾斜面を接合させた断面直角三角形状をなす細長い多数の凹溝を鏝板長手方向に整列状に並設するとともに、この凹溝群を鏝板中央線から左右に２群に分けて各凹溝の垂直面を対向的に位置づけた構成のものがある。この左官鏝を使用してモルタル床面の仕上げるには、モルタル表面に鏝板を移動させて、モルタル表面で凹凸をなす凸部のモルタル材を凹溝の角部で掻き取り、これを凹溝内に取り込んで鏝板の移動で場所を変えて放出してモルタル表面の細かな凹凸を均すものである。
【０００４】
また、この種のプラスチック製の左官鏝における把柄の取着構造としては、鏝板と背板を別体構成にし、背板には２本の柱脚と、この２本の柱脚上端部に取着板を架設したものを一体に成型し、背板を鏝板上面に凹設した取着用凹部内に接着し、こうして背板上に立設される２本の柱脚上端部に架設した取着板を、把柄下部に凹設した取着溝内に嵌挿した後、把柄の両側部から取着板向けに明けた孔に一対の固定部材（ねじとナット等）を挿通結合して取着板に把柄を固定する構成のものがある。（特許文献１参照）。
【０００５】
このように、２本の柱脚上端部に架設した取着板を介して把柄を取着する構成のものは、把柄が木製の場合は、使用を重ねているうちに、湿気や使用中の力で把柄に設けた取着溝の口が開いてきたり、把柄の取着溝を横切って取着板を固定する固定金具が緩んだりして把柄にがたつきを生じるようなことがある。
【特許文献１】実用新案登録第３０４９０８４号公報。
【発明の開示】
【発明が解決しようとする課題】
【０００６】
本発明は、このような状況に鑑みてなされたものであって、柱脚上端に把柄を直接に取着する構成を採用して、長期間の使用でも把柄の緩みやがたつきが生じることがなく、しかも、把柄の取着構造を簡素化して柱脚に対する把柄の取着作業が簡単にでき、左官鏝のコストダウンが図られる左官鏝を提供することをしようとするものである。
【課題を解決するための手段】
【０００７】
上記の目的を達成するための本発明に係る左官鏝は、鏝板成型時に鏝板の上面中央に背板を一体に形成するとともに、背板内に柱脚下端に設けた支持座を埋設して背板上に柱脚を立設し、柱脚上端部を把柄に穿設した段付き取着孔に挿通して段部に係止させ、この状態で柱脚と組み合わせた頭部付き棒状固定部材を把柄上側から取着孔内に挿入し、結合部を介して両部材を結合して把柄を固定したことを特徴とする。
【０００８】
ここで、柱脚下端の支持座は、鏝板成型時にインサートによって背板内に埋設されて柱脚は背板上に立設される。
【０００９】
こうして本発明によれば、柱脚に対する把柄の取着は、柱脚上端部を取着孔内に挿入して段部に当て、この状態で把柄上部から取着孔内に棒状固定部材を挿入して柱脚上端部と結合部を介して確かり結合することにより、把柄上端と固定部材の頭部との間に取着孔の小径部を挟み込む形で固定されて強固な把柄の取着を実現し、長期間の使用でもがたつきを生じることがなく、安定した性能を発揮する。また、柱脚に対する把柄の取着構成は、ドリルを使用して把柄に段付き取着孔を穿孔するだけでよいので、加工性に優れ、左官鏝のコストダウンが図られる。
【００１０】
また、前記構成において、柱脚を丸棒状の金属製にすると、柱脚が大量生産が可能となり、ここでも左官鏝のコストダウンに寄与する。
【００１１】
また、前記構成において、背板上に突出する柱脚基部を、背板からの盛り上がり部で取り巻いて柱脚埋設部を強化した構成にすると、把柄に対して衝撃的に掛かるような力で柱脚基部の埋設部が破損するようなことがなく、堅牢性を発揮する。
【００１２】
また、把柄を木製にしても、従来の木製把柄に見られるような手の込んだ加工部分が存在しないので、長期間の使用でも変形がなく、外観的に優れるとともに手触りが良くて作業性を向上できる。
【発明の効果】
【００１３】
本発明に係る左官鏝によれば、背板上に立設した柱脚に対する把柄の取着は、柱脚上端部を把柄の取着孔に挿入して段部に係止させ、この状態で把柄上部から取着孔内に頭部付き棒状固定部材を挿入して結合部を介して柱脚上端と結合するので、強固な把柄の取着を実現して長期間の使用でもがたつきを生じることがなく、安定した性能を発揮する。また、柱脚への取着のための把柄構成としては、ドリルを使用して段付き取着孔を穿孔するだけでよいので、加工性にも優れ、左官鏝のコストダウンが図られる。
【発明を実施するための最良の形態】
【００１４】
本発明の好ましい実施の形態を添付の図面に基づいて説明する。
【実施例１】
【００１５】
図１は本発明の左官鏝の一部を切除して示した側面図、図２は把柄取着前の鏝板の平面図、図３は柱脚部における横断面図である。
【００１６】
鏝板１は、モルタル床面を仕上げる左官鏝として比較的大型のもので、所定厚さの鏝板１の下面には、全面的に、垂直面と傾斜面を接合させた断面直角三角形状をなす細長い多数の凹溝２を周知形態の下で整列状に並設している。
【００１７】
鏝板１の上面には、鏝板成型時に鏝板上面中央に背板３を一体に形成するとともに、この背板３部から２本の柱脚４を背板３上に平行して立設している。この場合の２本の柱脚４は、鏝板１の成型時に周知手法によってインサートしたもので、実施の形態では、金属製の円柱状をなす柱脚４を用い、その下端に設けた支持座５を背板３内に入り込ませて埋設し、背板上に突出する柱脚基部を背板上からの盛り上がり部６で取り巻いて柱脚基部回りを強化している。なお、鏝板１及び背板３を一体成型するプラスチック資材としては、固くて靱性のあるＡＢＳ樹脂等が用いられる。
【００１８】
背板３上に立設した２本の柱脚４上に、木製の把柄７を取着している。この場合の２本の柱脚４に対する把柄７の取着構造としては、把柄７には、柱脚４に対応して把柄７を貫通して段９付きの取着孔８を穿設し、柱脚４には、頭部１２付きの棒状固定部材１１を組み合わせ、両部材の端部には、相互に結合される結合部１０を設けている。
【００１９】
しかして、柱脚４への把柄７の取着は、柱脚４上端部を取着孔８下半の大径孔部８ａに挿通して段部９に係止させ、この状態で把柄７の上側から取着孔上半の小径孔部８ｂに棒状固定部材１１を挿入して結合部１０を介して結合すると、取着孔８の小径孔部８ｂの両端（一方は段部９）に、柱脚４上端と棒状固定部材１１の頭部１２が圧着して確かり固定される。この際に、棒状固定部材１１の頭部１２は、取着孔上端部に設けた頭部受け凹部１３に入り込ませて邪魔にならないようにしている。
【００２０】
また、前記する結合部１０の具体的構成として、実施の形態では、柱脚４上端に筒部を設け、この筒部に棒状固定部材１１の端部をカチ込みにより固定するようにしているが、柱脚４上端に設けた筒部に雌ねじを設け、これに棒状固定部材１１端部に設けた雄ねじを螺合させて固定するようにしてもよい。
【産業上の利用可能性】
【００２１】
本発明に係る左官鏝のように、鏝板成型時にインサートによって鏝板に立設した柱脚上端部を把柄に穿設した取着孔に挿入係止させ、反対側の孔口部から棒状固定部材を挿入し、結合部を介して柱脚と結合して把柄を確かり固定する構成は、左官鏝に限られるものではなく、刃物や作業工具類に対する把柄の取着にも適用できる。従って、その利用範囲は極めて広範なものであり、実用上、極めて有益なものである。
【図面の簡単な説明】
【００２２】
【図１】本発明に係る左官鏝の一部を切除して示した側面図である。
【図２】把柄取着前の鏝板の平面図である。
【図３】柱脚部における鏝板の横断面図である。
【符号の説明】
【００２３】
１  鏝板
２  凹溝
３  背板
４  柱脚
５  支持座
６  盛り上がり部
７  把柄
８  取着孔
８ａ  大径孔部
８ｂ  小径孔部
９  段部
１０  結合部
１１  棒状固定部材
１２  頭部
１３  凹部
【図１】
2005213758.tif 000003
【図２】
2005213758.tif 000004
【図３】
2005213758.tif 000005